(57)【特許請求の範囲】
【請求項１】
ケース内に収納されたスイッチ部と、
前記スイッチ部を押圧操作するシャフト部を備えた操作部材と、
前記操作部材を前記ケース内で保持するホルダー部と、
前記シャフト部の一端部が前記ケースの外部に突出する操作初期位置に前記操作部材を弾性支持する付勢手段と、
を有し、
前記シャフト部の両端部側は前記ホルダー部に設けられたガイド部によって操作方向に往復動自在に支持されるとともに、前記シャフト部の長さ方向の中途部の側面を押圧し、前記シャフト部を前記ガイド部に押し付け支持する弾性支持部材が前記ホルダー部に設けられており、
前記操作部材を位置決めするストッパー部材が前記弾性支持部材の外方側に位置するように設けられ、前記弾性支持部材の外方への変形が前記ストッパー部材で阻止されるようにしたことを特徴とするプッシュスイッチ装置。
【請求項２】
前記シャフト部の側面には前記シャフト部の長さ方向に延びる凸条部が外周方向に９０度の間隔をおいて形成されるとともに、前記ガイド部には前記凸条部と嵌合し、前記シャフト部をガイドする凹条部が外周方向に９０度の間隔をおいて形成され、前記弾性支持部材が前記凸条部を押圧することにより、前記シャフト部が前記ガイド部に押し付け支持されていることを特徴とする請求項１に記載のプッシュスイッチ装置。
【請求項３】
前記シャフト部の側面には前記シャフト部の長さ方向に延びる凹条部が外周方向に９０度の間隔をおいて形成されるとともに、前記ガイド部には前記凹条部と嵌合し、前記シャフト部をガイドする凸条部が外周方向に９０度の間隔をおいて形成され、前記弾性支持部材が前記シャフト部の側面を押圧することにより、前記シャフト部が前記ガイド部に押し付け支持されていることを特徴とする請求項１に記載のプッシュスイッチ装置。
【請求項４】
前記弾性支持部材を前記凸条部間に嵌合させ、前記各凸条部の各側面を押圧することにより、前記シャフト部が交差する２方向から前記ガイド部に押し付け支持されていることを特徴とする請求項２に記載のプッシュスイッチ装置。
【請求項５】
前記弾性支持部材の先端にＶ字状の切り欠き部を形成し、前記切り欠き部を前記凸条部の先端に嵌合させ、前記凸条部の先端の側面を押圧することにより、前記シャフト部が交差する２方向から前記ガイド部に押し付け支持されていることを特徴とする請求項２に記載のプッシュスイッチ装置。
【請求項６】
ケース内に収納されたスイッチ部と、
前記スイッチ部を押圧操作するシャフト部を備えた操作部材と、
前記操作部材を前記ケース内で保持するホルダー部と、
前記シャフト部の一端部が前記ケースの外部に突出する操作初期位置に前記操作部材を弾性支持する付勢手段と、
を有し、
前記シャフト部の両端部側は前記ホルダー部に設けられたガイド部によって操作方向に往復動自在に支持されるとともに、前記シャフト部の長さ方向の中途部の側面を押圧し、前記シャフト部を前記ガイド部に押し付け支持する弾性支持部材が前記ホルダー部に設けられており、
前記シャフト部の側面には前記シャフト部の長さ方向に延びる凸条部が外周方向に９０度の間隔をおいて形成されるとともに、前記ガイド部には前記凸条部と嵌合し、前記シャフト部をガイドする凹条部が外周方向に９０度の間隔をおいて形成され、前記弾性支持部材が前記凸条部を押圧することにより、前記シャフト部が前記ガイド部に押し付け支持されており、
前記弾性支持部材の先端にＶ字状の切り欠き部を形成し、前記切り欠き部を前記凸条部の先端に嵌合させ、前記凸条部の先端の側面を押圧することにより、前記シャフト部が交差する２方向から前記ガイド部に押し付け支持されていることを特徴とするプッシュスイッチ装置。
【発明の詳細な説明】
【技術分野】
【０００１】
本発明は、プッシュボタン部の押し込み操作により、機器のオンオフ操作や機器の切り替えを行うプッシュスイッチ装置に関し、特に、車両用のストークスイッチ装置に用いて好適なプッシュスイッチ装置に関するものである。
【背景技術】
【０００２】
従来のプッシュスイッチ装置として、特許文献１に記載の技術が知られている。この技術は、ハウジングに圧縮コイルばねを介して往復動自在に組み込まれた操作棒を押し込み操作することにより、ハウジング内に設けられたスイッチをオンオフ操作するものである。
上記操作棒には弾性接触部が設けられており、この弾性接触部はハウジング内に設けられたガイド部に嵌め込まれ、上記操作棒の往復動がガイドされる構成となっている。
【先行技術文献】
【特許文献】
【０００３】
【特許文献１】特開２００３−１９７０６１号公報
【発明の概要】
【発明が解決しようとする課題】
【０００４】
上述した従来のプッシュスイッチ装置では、操作棒の往復動の被ガイド部となる弾性接触部は弾性部材により形成されており、操作棒の押し込み操作の仕方によっては弾性接触部が撓み、操作棒の位置が安定しない。
【０００５】
このような構成によれば、スイッチの押し込み操作時のガタつきは防げても、操作棒をスムーズに押すことができず、スイッチの確実な押し込み操作を得ることができない。
【０００６】
車両用のコンビネーションスイッチにおいては、走行中にスイッチを操作する頻度が高く、確実にスイッチをオンオフできるとともに操作フィーリングの良いスイッチが望まれている。
【０００７】
本発明はかかる事情に鑑みてなされたものであり、その目的は、スイッチの押し込み操作時のガタつきがなく、スイッチのオンオフ操作を確実に行うことができるプッシュスイッチ装置を提供することにある。
【課題を解決するための手段】
【０００８】
第１の発明のプッシュスイッチ装置は、ケース内に収納されたスイッチ部と、前記スイッチ部を押圧操作するシャフト部を備えた操作部材と、前記操作部材を前記ケース内で保持するホルダー部と、前記シャフト部の一端部が前記ケースの外部に突出する操作初期位置に前記操作部材を弾性支持する付勢手段とを有し、前記シャフト部の両端部側は前記ホルダー部に設けられたガイド部によって操作方向に往復動自在に支持されるとともに、前記シャフト部の長さ方向の中途部の側面を押圧し、前記シャフト部を前記ガイド部に押し付け支持する弾性支持部材が前記ホルダー部に設けられており、前記操作部材を位置決めするストッパー部材が前記弾性支持部材の外方側に位置するように設けられ、前記弾性支持部材の外方への変形が前記ストッパー部材で阻止されるようにしたことを特徴とする。
【０００９】
この構成によれば、前記スイッチ部のオンオフ操作を確実に行うことができる。また、前記シャフト部の中途部が前記ガイド部に弾性的に押し付けられているので、前記シャフト部と前記ガイド部の隙間が一方向に寄せられる。従って、前記シャフト部の前記ガイド部内でのガタつきを抑えることができ、前記シャフト部のスムーズな往復動を確保することができる。また、この構成によれば、前記弾性支持部材の外方への変形を防ぐことができ、前記シャフト部のスムーズな往復動を確保することができる。
【００１０】
好適には、前記シャフト部の側面には前記シャフト部の長さ方向に延びる凸条部が外周方向に９０度の間隔をおいて形成されるとともに、前記ガイド部には前記凸条部と嵌合し、前記シャフト部をガイドする凹条部が外周方向に９０度の間隔をおいて形成され、前記弾性支持部材が前記凸条部を押圧することにより、前記シャフト部が前記ガイド部に押し付け支持されていることを特徴とする。
この構成によれば、前記シャフト部の凸条部と前記ガイド部の凹条部との間の隙間が一方向に寄せられる。従って、前記シャフト部の前記ガイド部内でのガタつきを抑えることができ、前記シャフト部のスムーズな往復動を確保することができる。
【００１１】
好適には、前記シャフト部の側面には前記シャフト部の長さ方向に延びる凹条部が外周方向に９０度の間隔をおいて形成されるとともに、前記ガイド部には前記凹条部と嵌合し、前記シャフト部をガイドする凸条部が外周方向に９０度の間隔をおいて形成され、前記弾性支持部材が前記シャフト部の側面を押圧することにより、前記シャフト部が前記ガイド部に押し付け支持されていることを特徴とする。
この構成によれば、前記シャフト部の凹条部と前記ガイド部の凸条部との間の隙間が一方向に寄せられる。従って、前記シャフト部の前記ガイド部内でのガタつきを抑えることができ、前記シャフト部のスムーズな往復動を確保することができる。
【００１２】
好適には、前記弾性支持部材を前記凸条部間に嵌合させ、前記各凸条部の各側面を押圧することにより、前記シャフト部が交差する２方向から前記ガイド部に押し付け支持されていることを特徴とする。
この構成によれば、前記シャフト部の中途部が前記弾性突起部によって交差する２方向から前記ガイド部に弾性的に押し付けられるので、前記シャフト部のガタつきを２方向から抑えることができ、前記シャフト部のスムーズな往復動を確保することができる。
【００１３】
好適には、前記弾性支持部材の先端にＶ字状の切り欠き部を形成し、前記切り欠き部を前記凸条部に嵌合させ前記凸条部の側面を押圧することにより、前記シャフト部が交差する２方向から前記ガイド部に押し付け支持されていることを特徴とする。
この構成によれば、前記シャフト部の中途部が前記弾性突起部によって異なる２方向から前記ガイド部に弾性的に押し付けられるので、前記シャフト部のガタつきを２方向から抑えることができ、前記シャフト部のスムーズな往復動を確保することができる。
【００１４】
第２の発明のプッシュスイッチ装置は、ケース内に収納されたスイッチ部と、前記スイッチ部を押圧操作するシャフト部を備えた操作部材と、前記操作部材を前記ケース内で保持するホルダー部と、前記シャフト部の一端部が前記ケースの外部に突出する操作初期位置に前記操作部材を弾性支持する付勢手段とを有し、前記シャフト部の両端部側は前記ホルダー部に設けられたガイド部によって操作方向に往復動自在に支持されるとともに、前記シャフト部の長さ方向の中途部の側面を押圧し、前記シャフト部を前記ガイド部に押し付け支持する弾性支持部材が前記ホルダー部に設けられており、前記シャフト部の側面には前記シャフト部の長さ方向に延びる凸条部が外周方向に９０度の間隔をおいて形成されるとともに、前記ガイド部には前記凸条部と嵌合し、前記シャフト部をガイドする凹条部が外周方向に９０度の間隔をおいて形成され、前記弾性支持部材が前記凸条部を押圧することにより、前記シャフト部が前記ガイド部に押し付け支持されており、前記弾性支持部材の先端にＶ字状の切り欠き部を形成し、前記切り欠き部を前記凸条部の先端に嵌合させ、前記凸条部の先端の側面を押圧することにより、前記シャフト部が交差する２方向から前記ガイド部に押し付け支持されていることを特徴とする。
【発明の効果】
【００１５】
本発明によれば、スイッチの押し込み操作時のガタつきがなく、スイッチのオンオフ操作を確実に行うことができるプッシュスイッチ装置を提供することにある。
【図面の簡単な説明】
【００１６】
【図１】本発明の第１実施形態に係るプッシュスイッチ装置の外観側面図である。
【図２】プッシュスイッチ装置のホルダー部と操作部材の部分を示す外観側面図である。
【図３】図２に示すプッシュスイッチ装置のプッシュボタン部の外観斜視図である。
【図４】図２に示すプッシュスイッチ装置のホルダー部の外観斜視図である。
【図５】プッシュスイッチ装置の縦断面図である。
【図６】図２に示すプッシュスイッチ装置のシャフト部とスイッチ部の関係を示す外観側面図である。
【図７】図２に示すプッシュスイッチ装置の弾性支持片の部分を示す拡大側面図である。
【図８】本発明の第２実施形態に係るプッシュスイッチ装置のシャフト部とガイド部との関係を模式的に示す拡大横断面図である。
【図９】本発明の第３実施形態に係るプッシュスイッチ装置のシャフト部と弾性支持部材との関係を模式的に示す拡大横断面図である。
【図１０】本発明の第４実施形態に係るプッシュスイッチ装置のシャフト部と弾性支持部材との関係を模式的に示す拡大横断面図である。
【発明を実施するための形態】
【００１７】
（第１実施形態）
図１は、本発明の第１実施形態に係るプッシュスイッチ装置の外観側面図である。図２は、図１に示すプッシュスイッチ装置の主要な構成要素の部分を示す側面図である。図３は、図２に示すプッシュスイッチ装置の操作部材の部分を示す外観斜視図である。図４は、図２に示すプッシュスイッチ装置のホルダー部の部分を示す外観斜視図である。図５は、図２に示すプッシュスイッチ装置の縦断断面図である。図６は、図２に示すプッシュスイッチ装置のシャフト部とスイッチ部の関係を示す外観側面図である。図７は、図２に示すプッシュスイッチ装置の一方の弾性支持片の部分を示す拡大側面図である。
【００１８】
プッシュスイッチ装置１は、例えば車両用のストークスイッチ装置に用いられる。操作部材２を構成するプッシュボタン部３を図１中矢印Ａ方向に押し込むことにより、機器の操作モードを切り替えることができる構成となっている。
プッシュスイッチ装置１は、つまみ部を構成する筒状のケース４を有し、ケース４内に収納された一対のスイッチ部５、６と、各スイッチ部５、６を押圧操作する操作部材２と、操作部材２をケース４内で保持するホルダー部８を備えている。
【００１９】
操作部材２は、ポリアセタールなどの弾性変形可能な成型用樹脂からなり、一対のシャフト部１０、１１を有し、各シャフト部１０、１１の一端部側はケース４内から外部に突出し、この一端部側には操作部材２を構成するプッシュボタン部３が形成されている。そして、各シャフト部１０、１１はプッシュボタン部３の下面に垂下するように形成されている。
【００２０】
各シャフト部１０、１１の側面には、シャフト部１０、１１の長さ方向に延びる凸条部１２、１３が外周方向に９０度の間隔をおいて形成されている。
操作部材２には、操作部材２をホルダー部８の所定の位置に組み付けるための弾性部材からなる一対のストッパー片１４、１５が一対のシャフト部１０、１１を間に置きプッシュボタン部３の下面に垂下するように形成されている。
【００２１】
ポリアセタールなどの弾性変形可能な成型用樹脂からなるホルダー部８には、シャフト部１０、１１を操作方向に往復動自在に支持するガイド部１６、１７が設けられている。
ガイド部１６、１７の内側面には、シャフト部１０、１１の凸条部１２、１３と嵌合し、シャフト部１０、１１をガイドする凹条部１８、１９が外周方向に９０度の間隔をおいて形成されている。
各シャフト部１０、１１の凸条部１２、１３の一端部側１２ａ、１３ａは、ガイド部１６、１７の凹条部１８、１９の一端部側１８ａ、１９ａに嵌合支持されている。各シャフト部１０、１１の凸条部１２、１３の他端部側１２ｂ、１３ｂは、ガイド部１６，１７の凹条部１８，１９の他端部側１８ｂ、１９ｂに嵌合支持されている。
ホルダー部８の両外側部には、一対の係止突起部２０、２１が設けられている。操作部材２のストッパー片１４、１５には、操作部材２の操作方向に縦長の開口部１４Ａ、１５Ａが形成されている。
【００２２】
操作部材２をホルダー部８に組み付ける場合、ストッパー片１４、１５の開口部１４Ａ、１５Ａがホルダー部８の係止突起部２０、２１に嵌合するように操作部材２を操作方向からホルダー部８に押し込む。そうすると、係止突起部２０、２１がストッパー片１４、１５の開口部１４Ａ、１５Ａに嵌合する。操作部材２は、係止突起部２０、２１が開口部１４Ａ、１５Ａ内の長さ方向の距離の範囲内で往復動自在となるようにホルダー部８に組み付けられている。
【００２３】
各係止突起部２０、２１において、操作部材２の押し込み方向側となる上部には傾斜ガイド面２０Ａ、２１Ａが形成されるとともに、下部には水平係止面２０Ｂ、２１Ｂが形成されている。
操作部材２をホルダー部８に組み付けるとき、ストッパー片１４、１５は弾性力に抗して係止突起部２０、２１の傾斜ガイド面２０Ａ、２１Ａを乗り越える。開口部１４Ａ、１５Ａが係止突起部２０、２１の位置にくるとストッパー片１４、１５の弾性力により係止突起部２０、２１が開口部１４Ａ、１５Ａに自動的に嵌合し、操作部材２はホルダー部８の所定の位置に組み付けられる。従って、操作部材２のホルダー部８への組み付けをスムーズに行うことができる。
【００２４】
係止突起部２０、２１が開口部１４Ａ、１５Ａに嵌合することにより、操作部材２の操作方向の移動距離が制限される。また、開口部１４Ａ、１５Ａの下端部１４ａ、１５ａが係止突起部２０、２１の水平係止面２０Ｂ、２１Ｂに当接することにより、操作部材２のホルダー部８からの抜け落ちを防ぐことができる。開口部１４Ａ、１５Ａの下端部が係止突起部２０、２１の水平係止面２０Ｂ、２１Ｂに当接する位置は操作部材２のシャフト部１０、１１の操作初期位置となっている。
【００２５】
ホルダー部８の下部には回路基板２２が組み付けられている。回路基板２２上には機器の操作モードを切り替えるための一対のスイッチ部５、６が組み付けられている。各スイッチ部５、６は、回路基板２２上に搭載された図示しない固定接点と、固定接点を覆うように回路基板２２上に取り付けられたゴム材からなる一対のドーム部材５Ａ、６Ａと、各ドーム部材５Ａ、６Ａの内部上面に取り付けられた図示しない可動接点とからなる。
【００２６】
図６に示すように、各ドーム部材５Ａ、６Ａの外部上面には操作部材２の各シャフト部１０、１１の他端部が当接しており、各シャフト部１０、１１は各ドーム部材５Ａ、６Ａにより支持されている。そして、各ドーム部材５Ａ、６Ａは操作部材２の各シャフト部１０、１１を操作初期位置に弾性支持する付勢手段となっている。
なお、本発明は付勢手段は操作部材２を操作初期位置に弾性支持するものであればよく、材質、形状及び取り付け場所には限定されない。
【００２７】
プッシュボタン部３を図１中矢印Ａ方向に押し込むと各ドーム部材５Ａ、６Ａはシャフト部１０、１１により弾性力に抗して押し潰され可動接点が固定接点に接触する。可動接点が固定接点に接触することにより、機器の操作モードが切り替えられる。プッシュボタン部３の押し込み操作を開放するとシャフト部１０、１１はドーム部材５Ａ、６Ａの弾性力により自動的に操作初期位置に復帰する構成となっている。
【００２８】
ホルダー部８において、係止突起部２０、２１が設けられている側壁の中途部は切り欠き形成され、ガイド部１６、１７の凹条部１８、１９の中途部には外部に露出する開口部２３、２４が形成されている。
【００２９】
ホルダー部８において、開口部２３、２４が形成されている位置には開口部２３、２４に対峙するように弾性支持部材となる板バネからなる弾性支持片２５、２６が設けられている。弾性支持片２５、２６の基端部はホルダー部８に取り付けられている。弾性支持片２５、２６の基端部にはガイド部１６、１７の凹条部１８、１９に延長するガイド溝２５Ａ、２６Ａが形成されている。ガイド溝２５Ａ、２６Ａにはシャフト部１０、１１の凸条部１２、１３が嵌合されている。
弾性支持片２５、２６の先端には、ガイド部１６，１７の凹条部１８、１９によってガイドされるシャフト部１０、１１の凸条部１２、１３の先端面を押圧する押圧突起部２７、２８が設けられている。
【００３０】
押圧突起部２７、２８がシャフト部１０、１１の凸条部１２，１３の先端面を図５中矢印Ｂ方向及び矢印Ｃ方向に押圧することにより、シャフト部１０、１１の凸条部１２、１３の側面が凹条部１８、１９の側壁に弾性的に押し当てられる状態となる。すなわち、凸条部１２、１３と凹条部１８、１９の間の隙間は一方向に寄せられ、シャフト部１０、１１がガイド部１６、１７に押し付け支持される状態になる。
【００３１】
このような構成によれば、シャフト部１０，１１の両端部側はガイド部１６、１７によって支持されているのでスイッチ部５、６のオンオフ操作を確実に行うことができる。また、シャフト部１０、１１の中途部がガイド部１６、１７に弾性的に押し付けられているので、シャフト部１０、１１とガイド部１６、１７の隙間が一方向に寄せられる。従って、シャフト部１０，１１のガイド部１６、１７内でのガタつきを抑えることができ、シャフト部１０、１１のスムーズな往復動を確保することができる。
【００３２】
ストッパー片１４、１５の先端側は弾性支持片２５、２６に対向するように設けられている。従って、操作部材２の往復動操作時において、押圧突起部２７、２８がシャフト部１０、１１から離れる方向に力が加わった場合でも、弾性支持片２５、２６はストッパー片１４、１５によって受け止められるので、弾性支持片２５、２６の外方側への変形を防ぐことができ、押圧突起部２７、２８のシャフト部１０、１１への押圧状態を維持できる。
【００３３】
本発明はシャフト部１０、１１及びシャフト部１０、１１をガイドするガイド部１６、１７の形状は、横断面が円形状であってもよく、四角形状であってもよく、その形状には限定されない。また、本発明は弾性支持部材として、ゴム材からなる支持部材であってもよく、シャフト部１０、１１を弾性的に押圧する機能を有するものであればよい。
【００３４】
（第２実施形態）
図８は、本発明の第２実施形態に係るプッシュスイッチ装置のシャフト部とガイド部との関係を模式的に示す拡大横断面図である。第２実施形態に係るプッシュスイッチ装置において、シャフト部と弾性支持片以外の構成については、第１実施形態のプッシュスイッチ装置１と基本的に同じであり同一符号を用い詳細な説明は省略する。また、各シャフト部及び各ガイド部の関係は基本的に同じであり、一方のシャフト部及びガイド部との関係について説明する。
【００３５】
プッシュスイッチ装置３０において、シャフト部３１は横断面が四角形状を成し、各側面にはシャフト部３１の長さ方向に延びる凹条部３２が形成されている。ガイド部３３は横断面が四角形状を成し、各内側面にはガイド部３３の長さ方向に延びる凸条３４部が形成されている。凹条部３２が凸条部３４に嵌合することにより、シャフト部３１はガイド部３３によって往復動自在にガイドされている。ホルダー部８には弾性支持部材３５が取り付けられている。弾性支持部材３５はガイド部３３の側壁に形成された開口部（図示は省略する）を介してシャフト部３１の側面を図８中矢印Ｄ方向に押圧する構成となっている。従って、シャフト部３１はガイド部３３に押し付け支持された構成となっている。
【００３６】
このような構成によっても、第１実施形態に係るプッシュスイッチ装置１と同じようにスイッチ部５、６のオンオフ操作を確実に行うことができる。また、シャフト部３１の中途部がガイド部３３に弾性的に押し付けられるので、シャフト部３１の凹条部３２とガイド部３３の凸条部３４の隙間が一方向に寄せられる。従って、シャフト部３１のガイド部３３内でのガタつきを抑えることができ、シャフト部３１のスムーズな往復動を確保することができる。
【００３７】
（第３実施形態）
図９は、本発明の第３実施形態に係るプッシュスイッチ装置のシャフト部と弾性支持片との関係を模式的に示す拡大横断面図である。第３実施形態に係るプッシュスイッチ装置においてシャフト部と弾性支持片以外の構成については、第１実施形態のプッシュスイッチ装置１と基本的に同じであり同一符号を用い詳細な説明は省略する。また、各シャフト部及び各ガイド部の関係は基本的に同じであり、一方のシャフト部及びガイド部との関係について説明する。
【００３８】
プッシュスイッチ装置４０において、ホルダー部８に取り付けられた弾性支持部材４１は、図９中矢印Ｅ方向から、シャフト部１０の中心に対して４５度の角度で凸条部１２、１２間に押し込まれ、各凸条部１２、１２間に嵌合されている。この弾性支持部材４１の嵌合により、シャフト部１０は交差する２方向からガイド部１６に押し付けられる構成となっている。
【００３９】
このような構成によれば、第１実施形態に係るプッシュスイッチ装置１と同じようにスイッチ部５、６のオンオフ操作を確実に行うことができる。また、シャフト部１０の中途部が弾性支持部材４１によって交差する２方向からガイド部１６に弾性的に押し付けられているので、シャフト部１０の図１０中矢印Ｘ方向及びＹ方向のガタつきを抑えることができ、シャフト部１０のスムーズな往復動を確保することができる。また、一つの弾性支持部材４１により、シャフト部１０を交差する２方向からガイド部１６に押し付けることができ、スペース効率が良い。
【００４０】
（第４実施形態）
図１０は、本発明の第４実施形態に係るプッシュスイッチ装置のシャフト部と弾性支持片との関係を模式的に示す拡大横断面図である。第４実施形態に係るプッシュスイッチ装置において、シャフト部と弾性支持片以外の構成については、第１実施形態のプッシュスイッチ装置１と基本的に同じであり同一符号を用い詳細な説明は省略する。また、各シャフト部及び各ガイド部の関係は基本的に同じであり、一方のシャフト部及びガイド部との関係について説明する。
【００４１】
プッシュスイッチ装置５０において、ホルダー部８に取り付けられた弾性支持部材５１の先端にはＶ字状の切り欠き部５１Ａが形成されている。弾性支持部材５１は、図１０中矢印Ｆ方向から、凸条部１２の先端に押し付けられている。弾性支持部材５１の切り欠き部５１Ａはシャフト部１０の凸条部１２の先端に嵌合され、凸条部１２の先端面を押圧している。この弾性支持部材５１の押圧により、シャフト部１０は交差する２方向からガイド部１６に押し付けられる構成となっている。
【００４２】
このような構成によっても、第３実施形態に係るプッシュスイッチ装置４０と同じようにスイッチ部５のオンオフ操作を確実に行うことができる。また、シャフト部１０の中途部が弾性支持部材５１によって交差する２方向からガイド部１６に弾性的に押し付けられているので、シャフト部１０の図１１中矢印Ｘ方向及びＹ方向のガタつきを抑えることができ、シャフト部１０のスムーズな往復動を確保することができる。また、一つの弾性支持部材４１により、シャフト部１０を交差する２方向からガイド部１６に押し付けることができ、スペース効率が良い。
【００４３】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
上述した実施形態では、本発明を車両用のストークスイッチ装置に用いられるプッシュスイッチ装置に適用した場合を例示したが、その他の電子機器等のプッシュスイッチ装置として本発明を適用してもよい。
【産業上の利用可能性】
【００４４】
本発明は、電子機器等のプッシュスイッチ装置に適用可能である。
【符号の説明】
【００４５】
１、３０、４０、５０・・・・・プッシュスイッチ装置
２・・・・・・・・・・・・・・操作部材
４・・・・・・・・・・・・・・ケース
５、６・・・・・・・・・・・・スイッチ部
５Ａ、６Ａ・・・・・・・・・・ドーム部材（付勢手段）
８・・・・・・・・・・・・・・ホルダー部
１０、１１、３１・・・・・・・シャフト部
１２、１３、３４・・・・・・・凸条部
１２ａ、１３ａ・・・・・・・・一端部側
１２ｂ、１３ｂ・・・・・・・・他端部側
１４、１５・・・・・・・・・・ストッパー片
１６、１７、３３・・・・・・・・・・ガイド部
１８、１９、３２・・・・・・・凹条部
１８ａ、１９ａ・・・・・・・・一端部側
１８ｂ、１９ｂ・・・・・・・・他端部側
２５、２６・・・・・・・・・・弾性支持片
２７、２８・・・・・・・・・・押圧突起部
３５、４１、５１・・・・・・・弾性支持部材
５１Ａ・・・・・・・・・・・・切り欠き部
【図１】
0006478049.tif 000002
【図２】
0006478049.tif 000003
【図３】
0006478049.tif 000004
【図４】
0006478049.tif 000005
【図５】
0006478049.tif 000006
【図６】
0006478049.tif 000007
【図７】
0006478049.tif 000008
【図８】
0006478049.tif 000009
【図９】
0006478049.tif 000010
【図１０】
0006478049.tif 000011